(57)【要約】【課題】薬液含浸体の裏面の全体に薬液を均一に含浸でき、しかも構成が簡単で安価に得ることができ、さらに薬液含浸体に、薬液の含浸により膨潤やソリが生じてもこれがゆがむことなく収納できるようにする。【解決手段】板状の薬液含浸体２の表側を沿わせる揮散窓３を有する枠体４と、揮散窓に沿わせた状態の薬液含浸体の背面をリブ５ａを介して押圧しながら枠体の裏側を閉じる蓋体５とからなり、かつ薬液含浸体の背面側を蓋体との間の上記リブにより構成される隙間に対向させた。【選択図】図２
2008068098.tif 000002
【特許請求の範囲】
【請求項１】
板状の薬液含浸体の表側を沿わせる揮散窓を有する枠体と、揮散窓に沿わせた状態の薬液含浸体の背面をリブを介して押圧しながら枠体の裏側を閉じる蓋体とからなり、かつ薬液含浸体の背面側を蓋体との間の上記リブにより構成される隙間に対向させたことを特徴とする揮散容器。
【発明の詳細な説明】
【技術分野】
【０００１】
本発明は、殺虫剤、防虫剤、芳香剤、消臭剤、防黴剤等、揮散性を有する薬液を含浸させ、この薬液を長時間にわたって揮散させるようにすると共に、この薬液を繰り返し補充して用いられ、さらに、板状に形成される薬液含浸体を収納して壁掛けやスタンドとして装飾的に用いる揮散容器に関するものである。
【背景技術】
【０００２】
従来のこの種の揮散容器としては、特許文献１、特許文献２及び特許文献３等に示されたものがあり、上記特許文献１のものは、容器にいれた香料液に端部を接触または浸漬してなる吸水性材料を、額縁の背面に取り付けた構成となっている。また特許文献２のものは、多孔体からなる薬液含浸体が揮散窓を有する枠体内に収納され、この薬液含浸体の背面に保液性部材を接触させ、この保液性部材に薬液を貯留して長時間にわたって含浸体の表側からの揮散効果が得られるようにしている。さらに上記特許文献３のものは、放散孔を有する表蓋と裏蓋とからなる装身具内に板状の芳香材を内装した構成となっており、この芳香材に香料吸収材を用い、これに香料を吸収させて、繰り返し使用するようにしている。
【０００３】
【特許文献１】実開昭５４−１００８９６号公報
【特許文献２】実開昭６０−１７７４６号公報
【特許文献３】実開昭６３−４２２１５号公報
【発明の開示】
【発明が解決しようとする課題】
【０００４】
上記従来の薬液含浸体及び揮散容器のうち、特許文献１のものにあっては、揮散面が壁側に来ざるを得ず、このため揮散効果を十分に発揮できず、また壁への薬剤の汚染の恐れがあった。また特許文献２のものにあっては、補充された薬液は含浸体と容器との間にある空間内に一旦ためられるようになっていて、含浸体と容器の間に密閉性が要求される関係上、容器の一部が薬液含浸体内に埋め込まれた構成となっていて、製造上の制約が生じ、コスト高となる問題がある。
【０００５】
またこの従来の技術の特許文献２において、薬液をためるための空間内にスポンジ等の保液性部材を収納させているものがあるが、これは単に上記空間内にためられる薬液が徐々に薬液含浸体側に浸透させるためのものであって、上記した密閉性を必要とする点においては同様である。そして特に、この従来の技術のものにあっては、薬液含浸体の背面の略中央部に単にスポンジ等の保液性部材を部分的に接触させるだけの構成となっていて、保液性部材から薬液含浸体への薬液の補充は部分的にしか行われず、この補充された部分から、薬液含浸体内を通ってこの薬液含浸体全体に浸透するようになっているため、薬液含浸体の形状は同心円状の円形か、または正方形のように、中心点から周縁までの距離が略同一になるようにした形状とせざるを得ず、その正面形状を長方形や長楕円形にする等のデザイン上の自由度が低かった。またこのものは、上記したように、容器の一部を薬液含浸体内に埋め込む構成となっていることにより、薬液含浸体を構成する素材は、薬液の含浸によって膨潤したり、ソリが生じてしまうようなものは不向きで、薬液含浸体としての構成素材が限定されてしまうという問題があった。
【０００６】
さらに上記特許文献３の従来のものにあっては、香料吸収材に香料を吸収させるだけであることにより、この香料吸収材より香料が漏れ出してしまい、衣服等周囲を汚染してしまうことがあった。
【０００７】
本発明は上記のことにかんがみなされたもので、薬液含浸体を、これの裏面の全体に薬液を均一に含浸することができ、しかも構成が簡単で安価に得ることができると共に、薬液含浸体に、薬液の含浸により膨潤やソリが生じても、これがゆがむことなく収納できる揮散容器を提供することを目的とするものである。
【課題を解決するための手段】
【０００８】
上記目的を達成するために、板状の薬液含浸体の表側を沿わせる揮散窓を有する枠体と、揮散窓に沿わせた状態の薬液含浸体の背面をリブを介して押圧しながら枠体の裏側を閉じる蓋体とからなり、かつ薬液含浸体の背面側を蓋体との間の上記リブにより構成される隙間に対向させた構成となっている。
【０００９】
この構成では、薬液含浸体の背面に注入された薬液は蓋体に阻害されることなく浸透される。またこのとき、薬液含浸体が薬液の含浸により膨潤したりソリにより変形したとしても、これが蓋体にて押さえられることにより、この変形が矯正されて枠体内に収納される。
【発明の効果】
【００１０】
本発明に係る揮散容器は、背面にシート部材を接触させた薬液含浸体を、これの背面側に隙間をあけて収納することができ、これにより、シート部材に注入された薬液は揮散容器に阻害されることなく浸透され、シート部材から薬液含浸体への薬液の含浸がこれの全面にわたって均一に行われる。また容器内に収納された薬液含浸体は蓋体を介してリブにて押さえ付けられることにより、薬液の含浸により変形してもソリ等が生じることなく収納される。また、この揮散容器は収納された薬液含浸体をリブを介して蓋体にて押圧するようになっているので、構成が簡単で安価に得ることができる。
【発明を実施するための最良の形態】
【００１１】
本発明の実施の形態を図面に基づいて説明する。図中１は揮散容器、２はこの揮散容器１内に収納される薬液含浸体である。揮散容器１は正面側に揮散窓３を設け、正面形状が四角形となった枠体４と、この枠体４の背面側を閉じ、上記薬液含浸体２をリブ５ａを介して押えて保持する蓋体５とからなっている。そしてこの揮散容器１を壁掛けとして用いる場合には、図２に示すように、これの背面に設けた係合突起５ｂに壁掛け片６を係合し、またスタンドとして用いる場合には、図３に示すように、上記係合突起５ｂにスタンド部材７を係合する。なお、この壁掛け片６とスタンド部材７は同一部材にて構成し、これを使用状態によって図２に示す壁掛け用に用いたり、図３に示すスタンド用に用いるようにしてもよい。
【００１２】
上記揮散容器１の枠体４の縁部の断面形状は背面側を開放した略Ｌ字状になっており、その内側の背面側に、この揮散容器１内に収納される薬液含浸体２が当接される突条８が形成されている。上記蓋体５は枠体４の内側に圧入されるようになっている。そしてこの蓋体５の略中央には薬液注入用の穴９が設けてある。なおこの穴９は、後述するように、揮散容器１をこれの蓋体５を上側にした水平状態にしてこの穴９から薬液を注入する場合には、この実施例のように、蓋体５の略中央に設けた方がよいが、揮散容器１を垂直にして、あるいはこれの蓋体５を上側にして傾斜させた状態で上記穴９から薬液を注入するようにした場合には、この姿勢における上側にこの穴９を設ける。
【００１３】
薬液含浸体２は無機あるいは有機の多孔体よりなり、上記枠体４の揮散窓４の開口形状と略相似形で、かつこの揮散窓４より大きい板状に形成されている。そしてこの薬液含浸体２の背面の略全面には、この薬液含浸体２よりも薬液の浸透速度が速く、かつ、薬液の保持能力が低い材料、例えば紙、不織布、布などの繊維体にてシート状に構成されたシート部材１０が接触されている。このシート部材１０の接触手段としては、単なる当接、あるいは接着、融着、嵌合等がある。なお、単なる当接以外の手段の場合、この接触手段にてシート部材１０から薬液含浸体２側への薬液の含浸が阻害されてはならないので、接着や融着は点状に行う必要がある。
【００１４】
上記シート部材１０を構成する繊維体の繊維は方向性を有しており、このシート部材１０の中心部に薬液を滴下したときの周囲への浸透速度が、繊維方向に従って、縦方向あるいは横方向に異なるようになっている。すなわち繊維方向と、繊維と直角方向とでは、繊維方向の方が薬液の浸透速度が速い（浸透しやすい）。
【００１５】
上記構成において、薬液含浸体２を揮散窓３に沿わせて枠体４に入れ、蓋体５を枠体４に圧入嵌合することにより、薬液含浸体２は枠体４の内側の背面部に設けられた突条８に当接し、背面を蓋体５のリブ５ａにて押されて揮散容器１内に収納される。この状態で図４に示すように、略水平状態にして蓋体５の穴９から薬液ボトル１１の薬液をシート部材１０に滴下により注入する。
【００１６】
注入された薬液はシート部材１０に吸収され、素早くシート部材１０の全体に浸透して広がり、速やかに薬液含浸体２の全面にわたって含浸され、この薬液含浸体２に含浸された薬液は揮散容器１の開口窓３から揮散される。このとき、シート部材１０の背面側には蓋体５との間の隙間があることにより、このシート部材１０に注入された薬液は蓋体５に付着することなく、全量シート部材１０側に吸収される。
【００１７】
またこのとき、シート部材１０に注入された薬液は注入点から周囲に向けて浸透していくが、その浸透速度は、シート部材１０の繊維方向の方が浸透されやすく、速く浸透されていく。
【００１８】
このことから上記実施の形態では揮散容器１の揮散窓３の形状、従ってこれと相似形の薬液含浸体２の形状は、略正四角形の場合を示したが、これは横方向あるいは縦方向に長い形状にした四角形、または楕円形、さらにそれ以外の異形のものであってもよく、この場合、上記したようにこの各薬液含浸体２の背面に接触させるシート部材１０の繊維方向はこれの形状の長い方に向くように接触させる。
【００１９】
図５、図６はそれぞれ本発明に係る揮散容器の他の実施の形態を示すもので、図５に示すものは、蓋体５にばね１２にて付勢されるようにしたトレイ１３を設け、このトレイ１３にて薬液含浸体２の背面側をばね付勢するようになっている。
【００２０】
薬液含浸体２は薬液の含浸によって膨張されるが、その膨張率は表側と裏側とで異なる。このためこの薬液含浸体２は薬液の含浸によってソリ等の変形が生じるが、この薬液含浸体２は図２，図３に示すようにリブ５ａにて、また図５に示すようにトレイ１３を介してばね１２にて常時押えられていることにより、この薬液含浸体２の使用中の変形が抑制される。
【００２１】
図６に示す実施の形態は薬液含浸体２の表面に不透過膜からなるヨットや雲等の形状にした揮散調整材１４を貼り付けたものを示す。薬液含浸体２はこの揮散調整材１４により、その揮散面積が縮小される。つまり、揮散調整材１４にて揮散量が調節される。
【００２２】
なお、薬液含浸体２の揮散面積を調節するための手段としては、薬液含浸体２の表面に溝を付けたりバスタブ型の彫り込みを入れたり、さらに凹凸部を設けたり、貫通穴を設ける等の手段がある。
【００２３】
次に、シート部材１０を接触させた薬液含浸体２に、このシート部材１０側へ薬液を注入したときの薬液の浸透状態を下記の実験例にて示す。
【００２４】
（実験例１）
大きさが８５ｍｍ×８５ｍｍ×５ｍｍの板状コルクからなる薬液含浸体に、大きさが８０ｍｍ×８０ｍｍの各種の不織布を接触させ、水平状で、このシート部材側の中央部に、４．５ｇのローズ系香料を一気に滴下した。このときの各種の不織布における含浸時間を表１に示す。この表１で明らかなように、各種の不織布を接触させた場合の薬液含浸体への薬液の含浸時間はいずれも１４〜１７秒と短く、しかも液漏れも生じなく、不織布を接触させない場合に比べて薬液の含浸効果が大きい。
【００２５】
【表１】
2008068098.tif 000003
【００２６】
（実験例２）
実験例１の場合と同じ大きさの薬液含浸体に、これと同じ大きさのシンワ社製の不織布ハイボン２５５０を接触させたものを用い、この薬液含浸体が水平状態と４５°傾斜された場合でのそれぞれの繊維方向と、繊維方向と直角方向へのメトキシメチルブタノールの広がり方を調べた。
【００２７】
水平に含浸させる場合は、１．５ｇのメトキシメチルブタノールを不織布の中央に一気に、及び一滴ずつ滴下した。その結果を表２に示す。水平状態では繊維方向への薬液の広がりの方が繊維方向と直角方向より大きかった。
【００２８】
【表２】
2008068098.tif 000004
【００２９】
薬液含浸体を４５°傾斜させる場合は、不織布側を上側に向け、これの上端の中央に１．０ｇのメトキシメチルブタノールを一気に、及び一滴ずつ滴下した。その結果を表３、表４に示す。表３は薬液を一気に滴下した場合であり表４は一滴ずつ滴下した場合である。両表において繊維方向を垂直方向（傾斜方向）にした場合は、繊維方向へ薬液が大きいことと、これの重量が作用することにより、その広がりが大きく、逆に繊維と直角方向への広がりは小さかった。一方繊維方向を水平方向にした場合は一滴ずつ滴下した場合は、両繊維方向とも略同じになり、薬液が広がりにくい水平方向へも、垂直方向と略同一に広げることができることがわかった。一気に滴下した場合は、滴下時の慣性があることにより、繊維方向を水平にした場合でも、上下方向となる繊維方向と直角方向の広がりが大きかった。しかし、このときの薬液は下側からこぼれることがなかった。
【００３０】
【表３】
2008068098.tif 000005
【００３１】
【表４】
2008068098.tif 000006
【図面の簡単な説明】
【００３２】
【図１】本発明の実施の形態を示す斜視図である。
【図２】壁掛けの場合を示す断面図である。
【図３】スタンドの場合を示す断面図である。
【図４】薬液の注入状態を示す断面図である。
【図５】薬液含浸体をばね付勢して収納する場合を示す断面図である。
【図６】薬液含浸体の表面に揮散調整材を貼付した状態を示す斜視図である。
【符号の説明】
【００３３】
１…揮散容器、２…薬液含浸体、３…揮散窓、４…枠体、５…蓋体、５ａ…リブ、５ｂ…係合突起、６…壁掛け片、７…スタンド部材、８…突条、９…穴、１０…シート部材、１１…薬液ボトル、１２…ばね、１３…トレイ、１４…揮散調整材。
【図１】
2008068098.tif 000007
【図２】
2008068098.tif 000008
【図３】
2008068098.tif 000009
【図４】
2008068098.tif 000010
【図５】
2008068098.tif 000011
【図６】
2008068098.tif 000012